(57)【要約】【課題】頸椎症状を発生させず、また、治癒できるマクラを提供する。【解決手段】使用者１１が横向き姿勢で、頭部６をマクラ１２０（１３０）の上に載置して床面１０上に寝た状態において、この使用者１１の体軸中心線Ｆと床面１０とが、ほぼ平行になるように前記マクラの高さｈを調整することを特徴とするマクラの調整方法。【選択図】              図１０
2004209099.tif 000002
【特許請求の範囲】
【請求項１】
使用者が横向き姿勢で、頭部をマクラの上に載置して床面上に寝た状態において、この使用者の体軸中心線と床面とが、ほぼ平行になるように前記マクラの高さを調整することを特徴とするマクラの調整方法。
【請求項２】
使用者が横向き姿勢で、頭部を複数枚の弾性板の積層構造を有するマクラの上に載置して床面上に寝た状態において、この使用者の体軸中心線と床面とがぼぼ平行になるように、前記弾性板の枚数を選定して前記マクラの高さを調整することを特徴とするマクラの調整方法。
【請求項３】
前記体軸中心線は、胸骨の中心部と鼻の中心とを結ぶ線であることを特徴とする請求項１あるいは２に記載のマクラの調整方法。
【請求項４】
使用者が上向き姿勢で、頭部をマクラの上に載置して床面上に寝た状態において、頸椎が床面に平行する線と、この線に対して１０度前後の角度で上に向くように前記マクラの高さを調整することを特徴とするマクラの調整方法。
【請求項５】
使用者が横向き姿勢で、頭部をマクラの上に載置して床面上に寝た状態において、この使用者の体軸中心線と床面とがほぼ平行になると共に、同マクラ上を回転して上向き姿勢において、頸椎が床面に平行する線に対して１０度前後の角度で前傾するように前記マクラの高さを調整することを特徴とするマクラの調整方法。
【請求項６】
使用者が横向き姿勢で、頭部をマクラの上に載置して床面上に寝た状態において、この使用者の体軸中心線と床面とが、ほぼ平行になる高さを有し、更に体を仰向けにするために頭部を回転できる弾性を持つマクラと、
前記体軸中心線と床面との間の距離を測定できるスケールとの組合わせからなるマクラ装置。
【発明の詳細な説明】
【０００１】
【発明の属する技術分野】
本発明は、睡眠状態において人間にとって整理的に重要な意味を持つ寝返りを促し、かつ解剖学的に頸椎を安定して支持し、その結果、肩凝りや手の痺れなどの頸椎症状を解消できる特性を持つマクラ及びそのマクラの高さの調整方法に関する。
【０００２】
【従来の技術】
マクラは、頭部に感触よく接触し、首の部分あるはその近傍から両肩に至るまで柔らかく安定して支持できるような機能を持つものが多く使用されている。
【０００３】
消費者は、何を基準にしてマクラを選べばよいのかが、現実問題である。例えば、子供と大人、女性と男性とが違うサイズのマクラを使用することは予想がつく。つまり、体格を主体としてマクラを選定すればよいのである。
【０００４】
このように、従来はマクラのサイズに個人に適合したものはなく、多くて男性物が２〜３種類、また、女性物も同様に２〜３種類しか準備されていない。しかし、同性、同年代でも人間の体格の個人差は大きく、マクラの適合性に大きく影響するものである。
【０００５】
成人男性を例にとれば、身長１５０ｃｍ代で５０ｋｇの人と、身長１８０ｃｍ代で体重９０ｋｇ代での人では、体格が大きく異なり、それに応じてマクラの高さも異なるべきであるが、現実には前記のように３種類のマクラより選択するほかはなく、これでは余りにも大まかになってしまう。
【０００６】
マクラに関して多数の発明が提案されているが、特許公報に記載されたマクラの例を説明すると、次の通りである。
【０００７】
１）使用者の好みや気分あるいはその他の状況にあわせて感触や使用感を選択でき、更に、使用者の頭部及びその近傍の血行の促進を目的としてマクラとして合成樹脂発泡シートからなる板状クッション層を下部に配置し、その上に複数枚のクッション材料からなる高通気性と低蓄熱性を持つクッション材料複合層を積層した積層体を形成し、その積層体をメッシュ袋内に収容し、更に、このメッシュ袋には多数個のマグネット片を分散状態で固定したものが提案されている（例えば、特許文献１参照）  。
【０００８】
２）また、マクラ本体の上部に、高さ調節用の合成樹脂発泡体シートを複数枚重ね、その上部を直接頭部及び首部に接する表面の被覆体で覆い、その端をマクラ本体の底部に面フアスナーで止めた構造のマクラが提案されている（例えば、特許文献２参照）。
【０００９】
【特許文献１】
特開平１０─９４４６７号公報
【特許文献２】
特開２００１─１６９８８７号公報
【００１０】
前記のように、一般にはマクラは既製品を購入してそのまま使用する場合が多いが、解剖学的にマクラは頸椎（首部の骨）の安定を図るための大切な器具であり、しかも、使用者の体に合ったマクラを使用することは人間の快適な睡眠のみならず、様々な身体症状の予防および治療において重要なものである。
【００１１】
このようにマクラは使用感のみならず、解剖学的に首部の骨、即ち、頸椎の状態を考慮してその高さを決定しなければならないものであるが、通常はこのような医学的な配慮は全くと言ってよい程なされていない。多くのマクラは個人の体格を無視して使用され、その結果、気づかないうちに頸椎に大きな負担をかけ、長期に使用しているうちに肩凝りや頭痛や手や顔面のシビレ等の「頸椎症状」を悪化させている場合が多い。
【００１２】
前記のように従来より多数の形状や機能を持つマクラが提案されているが、それらの多くは感触や使用感、更にデザインなどを考慮した快適性を求めることに重点をおき、使用者の好みや気分を選択の基準にすることが多い。
【００１３】
例えば、前記特開平１０─９４４６７号公報に記載された発明のマクラは、合成樹脂発泡体からなる板状のクッション層と、このクッション層の上に多数のクッション板を積層するように構成し、マクラの高さを使用者の好みに合わせて調節できる構造を持つものを提案している。
【００１４】
しかし、この発明は、マクラの「高さ」を如何なる方法あるいは尺度を持って決定したらよいのかを教えるものではなく、従って、使用者は単にマクラの上に頭部を載せた状態における、短時間の使用感を主体にして高さを決めており、このマクラは後述するように、解剖学的に適した高さのものを教示するものではない。
【００１５】
また、特開２００１─１６９８８７号公報に記載された発明のマクラは、頭部の裏側から首部、そして肩部に至るまで全体的に支持できるような断面形状にマクラを形成する構造を提案している。そしてこのマクラは、人が仰向けに寝た状態では頭部から背まで支持するように構成している。
【００１６】
従って、多くの場合、マクラの高さは仰向けに寝た状態の使用者の感触により決定しており、かなり高いマクラが選定される傾向がある。このように高いマクラを使用した場合、特に姿勢を横向きに変えると頭部が必要以上に持ち上げられ、その結果として首が「くの字状」に上方に折れ曲がった状態（前傾姿勢）にならざるを得ない。
【００１７】
最近は頭部から肩部に至る面積でスッポリと全体を支持し、感触や色彩、そしてデザイン性が重視されたマクラが使用されるようになっている。これは従来から多く使用されていたマクラのように、単に頭部を支持するものと比較すると、かなり変形したデザインのものが多くなっている。
【００１８】
また、一般に頭部後方を全体的に安定して支持すると称されているマクラとしてドーナツ型のものがある。このマクラは、中央の穴部あるいは窪みに頭部を載せて後頭部を丸く支持した状態で使用されるもので、一応は仰向けに寝た状態で頭部を安定させることができる。
【００１９】
しかし、このマクラは、頭部を左右に回転させるにはマクラの一部が顔面を支持するので、大きな抵抗がある上に、頭頸の安定状態が非常に悪くなる。このような理由から、頸部に負担を掛けることなく寝返りを打つことは不可能に近いものである。
【００２０】
【発明が解決すべき課題】
人間の頸椎は生理的に前方に凸に湾曲（生理的前湾）しているが、これは起立時の筋肉によって頭部の重量を支持する安定姿勢からきたものである。これに対して、この起立姿勢からフトンやベッドの上に横たわり、頭部をマクラに載せた場合は、頭部の重量（体重の約１０％、８〜１０ｋｇ）はマクラに支持されることになり、頸椎の状態、つまり首や肩の筋肉が弛緩することになり、首部の筋肉にかかる重量が変化し、その結果、頸椎の状態も変化する。
【００２１】
このように首部にかかる負担を実質的に取り除けるのは、就寝時のみであり、この意味において、マクラによる頭部の支持状態は頸椎に大きな影響を与えるものであり、頸椎の姿勢を神経を圧迫しないように保持することは重要である。
【００２２】
一方、寝返りは、人間の睡眠において重要なものであり、無意識に行なわれる寝返りという体動によって、人間の体液（血液、リンパ液、関節液など）の流れを促進する。従って、寝返りができない寝姿であると、前記体液が人体の各部で滞り、その結果、痛みや痺れ、血液循環不良などの様々な頸椎症状を引き起こす原因となるのである。
【００２３】
言うまでもなく、人体は、体重や身長、頭部の大きさ、頸部の高さ（長さ）や太さ、肩幅、胸と背面との間の厚みなど、個人差が大きい。従って、本来ならば、これらの諸条件を解剖学的に考慮した個人々々に適合するマクラを製作する必要があるが、従来のマクラは、寝返り時の頸椎の安定姿勢まで、全く考慮されていないと言える。
【００２４】
マクラを使用する第２の目的は、仰向けあるいは横向けに関係なく、睡眠中における頭部とこれに関連して首部を安定して支持することにあり、マクラはその機能を持つべきである。しかし、実際には人の睡眠の初期から熟睡、そして目覚めに至るまでの睡眠状態の全体、特に寝返りをうち易いかどうかまで考慮されていないことが多い。
【００２５】
本発明者は整形外科に関係していることから、人の睡眠状態を観察する機会がしばしばあるが、それによると、就寝の最初は仰向き姿勢（仰臥位）で眠りにつくことが多いが、一晩中そのままの姿勢を維持している人は極めて稀であり、睡眠中に横向き姿勢（側臥位）になったり、元の仰向け姿勢に反転する「寝返り」動作を驚くほど「ダイナミック」に行っていることが多い。従って、この睡眠状態の観察結果からしても、寝返りとマクラとの関係について検討することが重要であることが分かる。
【００２６】
なお、人体が横向き（横向き臥床）において安定するための姿勢について説明すると、寝姿を上から見た場合に、体の下側の片手を前方に出し、それに伴なって下側の肩を少し前方に出している。そして体の上側の片手は骨盤の上に載せ、両足は軽く前方に屈曲させて体を前側に倒れないように保持している。この状態を頭部側から見ると、肩の線は床面に垂直な線に対して約３０度程度の角度をもって上向き姿勢を保持している。
【００２７】
（頸椎の状態について）
前記のように本発明者は多数の人の頸椎症状の原因を解明する目的で睡眠姿勢と頸椎症状との関係について観察する機会があった。その観察結果によると、個人差はあるが、少ない人でも一晩に５〜６回、多い人になると８回あるいはそれ以上も寝返りをうっている。
【００２８】
この睡眠中の観察結果から、マクラは、単に、快適性や使用感、そしてデザイン性のみではなく、睡眠中の「寝返り」運動のうち易さを考慮しながら、頸椎を安定して支持できる構造のものを採用することが重要である。
【００２９】
即ち、睡眠の初期に仰向き姿勢でマクラの高さを合せて理想的な頸椎の状態を得ることができても、睡眠中期に左右に寝返り運動で横向きになった場合、人体の側面視において、人体の中心線である体軸中心線（例えば鼻と胸骨の中心とを結ぶ線）が直線状に維持できず、多くの場合は体軸中心線に対して頸部の中心線は「くの字形」に上向きに曲がっていることが多い。
【００３０】
この頸部の構造を解剖学的に説明すると、図５のように頸部１は椎体２（首の骨）が７個、直列に積み上げられた状態で構成されている。そして人が直立状態にある時は、隣接する椎体２の間に、この椎体２の上下面に形成された小さな窪み３の合面に小さな頸間孔４が形成される。
【００３１】
そしてこの頸間孔４の部分より、それぞれ１本の神経５が引き出されており、この神経５は頭部６、頸部１、背部７や図示しない手などに伸びて、人体各部の動きや感覚的な痛みなどを司っている。
【００３２】
極端な例であるが、例えば、自動車事故やサッカー等のスポーツによって頭部と頸部に大きな力が作用して外傷を受けた場合に、頸部に痛みを感じ、それに伴なって手に痛みや痺れを感じたり、場合によってはマヒなどの症状を訴える場合がある。この症状は、前記椎体２を安定位置及び間隔で維持している頸部１の筋肉が異常をきたして正常な状態で頭部の支持ができないことを意味している。
【００３３】
この現象は、７個からなる椎体２の配列の変化などで椎間孔４が変形し、この椎間孔４を形成している骨の部分で人体各部に通ずる神経５を圧迫して「頸椎症状」を発現したことを意味している。
【００３４】
ところで、睡眠においては、前記のように椎間孔４が大きく変形するような場合は少ないものの、長い睡眠時間中の「寝返り動作」により椎体２どうしの位置や姿勢が変化し、それに伴なって椎間孔４の大きさが小さくなり、椎体２により神経５を圧迫して肩凝りや頭痛、更に手や顔面のしびれなどの頸椎症状を引き起すのである。
【００３５】
以下に、不適切な高さな形状のマクラを使用した時の椎間孔の変形に伴う症状誘発の機構について説明する。
【００３６】
図６〜図８は、仰向け姿勢で床面１０上に人体１１を横たえた状態の側面図であり、頸部１を形成している椎体２の状態を描いたものである。
【００３７】
図６はマクラ１２が使用者の体型に対して「低過ぎる」場合で、頸部１を構成する椎体２は上方に凸形に湾曲して配列されている。この状態は図５に示した正常な椎間孔４が異常に狭小になり、その結果、神経５を圧迫している。  また、図８は逆にマクラ１２が「高過ぎる」場合で、この場合は頸体２は下方に湾曲して椎間孔４が狭小になって神経５を圧迫している。
【００３８】
更に、図７は後述する本発明のマクラ１２を使用して椎体２の配列状態が良好な場合を示すもので、これは図６及び図８のマクラの高さが不適な状態とは全く異なり、椎体２の配列が図５に示した立姿勢に近い状態になっており、この状態になると椎間孔４が最大に拡大して、これより引き出される神経５を全く圧迫しないようになっている。
【００３９】
なお、従来のマクラの多くは、図７に示すように頸部１の後方の最適空間１３が形成されないものが多いが、この最適空間１３は人が寝返り運動を行う場合に頭部６を回転させるのに抵抗を少なくするためのものである。
【００４０】
ところで、肩凝りや手の痺れなどの頸椎症状を長期間放置しておくと、肩凝りなどが慢性化し、場合によっては頸部１等の筋肉が変形して曲がりが発生したり、肩部７が左右のバランスを失って片方に傾斜したり、手の動きや感覚に支障が生ずるなどの各種の症状を引き起こすことになる。このような現象を避ける意味において、この頸椎症状をなるべく早く解消することが必要である。
【００４１】
興味深い話をすれば、この頸椎症状を訴えて整形外科を受診するとき、リハビリテーションの一つである頸椎牽引（頸に革ベルとを付け、前上方に引上る）処方されることがある。この前上方に引く角度こそ、本発明の頸椎安定位、つまり図７に示す椎間孔が最大となる角度なのである。
【００４２】
このマクラの高さは、人が仰向けになった状態における床面に平行な線と頸部の中心線とが形成する角度（仰臥角：図１の角度α）と、横向きになった時の体軸の中心線と頭部の中心（鼻の中心）を結ぶ線（側臥線：図２の線Ｆ）との関係から決定されなければならないのである。
【００４３】
本発明は、従来のマクラの高さと形状に起因する解剖学的な問題点を解消することを目的とするものであって、各種の頸椎症状を解消ないし緩和が自然にできるマクラの高さの調整方法を提供することにある。
【００４４】
また、仰向け姿勢と横向き姿勢とにおいても頸椎を安定した位置に保持するとことが可能であり、寝返り動作を安全な状態で、しかも「ダイナミック」に行うことができ、前記両姿勢において図５を参照して説明した椎間孔４を大きく開口した状態に保持することによって、神経５を圧迫することのないマクラの高さの調整方法を提供することにある。
【００４５】
更に、別の目的とするところは、体格や体型の異なる人体に対する最適なマクラを提供することにある。
【００４６】
本発明者は、人体の特徴である身長と体重と体型（体格）と首部を構成する頸椎の状態、更に、寝返りの状態を観察した結果、マクラの高さの最適な調整方法を開発したものであり、以下にその調整方法を説明する。
【００４７】
本発明者は、長年の整形外科医として経験より、頸椎症状を持つ患者のためのマクラの大きさを選定して使用させ、その頸椎症状が回復できるマクラを決定してきた。この方法は患者の体格すなわら身長や太り具合と頸椎症状を観察した上で、マクラの高さの見当をつけて当てがい、そしてマクラの高さを微調整し、更に、この調整されたマクラを使用させて改善度を確認して最適なマクラを決定してきた。
【００４８】
しかし、このような患者の就寝状態の観察を考慮してマクラの高さを決定する方法は、長年の経験を持った者、特に頸椎の様子を理解できる者以外が行うことは困難である上に、しかも、その高さの決定にかなりの時間と手順を必要とする問題があった。
【００４９】
そこで、本発明者は、身長と体重からマクラの高さを割り出す方法がないものかどうかを検討した結果、下記本発明に到達したのである。
【００５０】
【課題を解決するための手段】
前記目的を達成するための本発明に係るマクラの高さの調整方法は次の通りである。
【００５１】
１）使用者が横向き姿勢で、頭部をマクラの上に載置して床面上に寝た状態において、この使用者の体軸中心線と床面とが、ほぼ平行になるように前記マクラの高さを調整することを特徴としている。
【００５２】
２）使用者が横向き姿勢で、頭部を複数枚の弾性板の積層構造を有するマクラの上に載置して床面上に寝た状態において、この使用者の体軸中心線と床面とがぼぼ平行になるように、前記弾性板の枚数を選定して前記マクラの高さを調整することを特徴としている。
【００５３】
３）前記体軸中心線は、胸骨の中心部と鼻の中心とを結ぶ線であることを特徴としている。
【００５４】
４）使用者が上向き姿勢で、頭部をマクラの上に載置して床面上に寝た状態において、頸椎が床面に平行する線と、この線に対して１０度前後の角度で前傾するように前記マクラの高さを調整することを特徴としている。
【００５５】
５）使用者が横向き姿勢で、頭部をマクラの上に載置して床面上に寝た状態において、この使用者の体軸中心線と床面とがほぼ平行になると共に、同マクラ上を回転して上向き姿勢において、頸椎が床面に平行する線に対して１０度前後の角度で前傾するように前記マクラの高さを調整することを特徴としている。
【００５６】
なお、マクラの高さの基準を得るための体格スコアについて説明すると、下記の通りである。
【００５７】
６）更に、使用者が横向き姿勢で、頭部をマクラの上に載置して床面上に寝た状態において、この使用者の体軸中心線と床面とが、ほぼ平行になる高さを有し、更に体を仰向けにするために頭部を回転できる弾性を持つマクラと、前記体軸中心線と床面との間の距離を測定できるスケールとの組合わせからなるマクラ装置である。
【００５８】
また、本発明に関連する基礎的情報は下記の通りである。
【００５９】
Ａ）身長を複数の区分に分けて各区分にスコアを付けて身長スコアとすると共に、体重を複数の区分に分けて各区分にスコアを付けて体重スコアとし、前記身長スコアと体重スコアとを加算して体格スコアとした。
【００６０】
そして縦軸にマクラの高さを、横軸に前記体格スコアをとったマクラの高さ決定グラフを作成した。次に、マクラの使用者の身長と体重より前記体格スコアを決定し、この体格スコアを前記マクラの高さ決定グラフに適用してマクラの高さを決定する。
【００６１】
Ｂ）身長を１４０ｃｍ以下の最小値と、１９１ｃｍ以上の最大値と、１４１ｃｍから１９０ｃｍまでの中間値とに分け、前記中間値を４〜６ｃｍの範囲に区分し、前記最小値に最小身長スコアを付し、前記最大値に最大身長スコアを付し、前記中間値に最小身長スコアと最大身長スコアの間の中間身長スコアに漸増するスコアを付した。また、体重を４５ｋｇ以下の最小値と、１０１ｋｇ以上の最大値と、４６ｋｇから１００ｋｇまでの中間値とに分け、前記中間値を４〜６ｋｇの範囲に区分し、前記最小値に最小体重スコアを付し、前記最大体重スコアに最大体重スコアを付した。前記中間値に、最小体重スコアと最大体重スコアの間の中間体重スコアに漸増するスコアを付し、前記身長スコアと体重スコアとを加算して体格スコアとした。
そして縦軸にマクラの高さを、横軸に前記体格スコアをとったマクラの高さ決定グラフを作成し、マクラの使用者の身長と体重の測定結果より体格スコアを得て、この体格スコアを前記マクラの高さ決定グラフに適用してマクラの高さを決定する。
【００６２】
Ｃ）更に具体的には、身長を１４０ｃｍ以下と、１４１ｃｍから１９０ｃｍと、更に１９１ｃｍ以上の間を、ほぼ５〜１０ｃｍ、好ましくは５ｃｍ間隔で区分し、前記１４０ｃｍ以下を身長スコア１、前記１９１ｃｍを身長スコア１１として身長スコアを配分した。
また、体重４５ｋｇ以下と、４６ｋｇから１００ｋｇと、更に１０１ｋｇ以、上の間を、ぼぼ５〜１０ｋｇ、好ましくは５ｋｇ間隔で区分した。そして前記４５ｋｇ以下を体重スコア１、前記１０１ｋｇ以上を体重スコア１１とし体重スコアを配分した。そして前記身長スコアと体重スコアとを加算して体格スコアを算出した。
【００６３】
次に、縦軸にマクラの高さ、横軸に前記体格スコアをとったマクラの高さを決定するためのグラフを作成し、マクラの使用者の身長と体重の測定結果より、体格スコアを選定し、この体格スコアを前記マクラの高さ決定グラフに適用してマクラの高さを決定する。
【００６４】
Ｄ）上面に凹凸がなく、ほぼ平坦な形状で、頭部の重量を作用させた場合に、後頭部を前記上面に深く埋まらない状態で支持する程度の弾性力を持ったマクラにおいて、マクラの使用者が床面上に横たわった状態で、この使用者の鼻と胸骨の中心部とを結ぶ線と前記床面とが平行になるようにマクラの高さを調整する。
【００６５】
Ｅ）上面に凹凸がなく、ほぼ平坦な形状で、頭部の重量を作用させた場合に、後頭部を前記上面に深く埋まらない状態で支持する程度の弾性力を持ったマクラであり、このマクラは、使用者が仰臥姿勢と横臥姿勢とに寝姿勢を回転させた時、前記上面の凹凸により頭部の回転を妨害しないように弾性支持する。
【００６６】
Ｆ）マクラの高さの調節には、複数枚のシート、好ましくはウレタン等の合成樹脂発泡体シートを使用すること、３〜６ｍｍ、特に５ｍｍのシートを使用すること短時間に使用者に適したマクラの高さを調整することができる。
【００６７】
【発明の実施の形態】
次に、図面を参照して本発明の実施の形態を説明する。
【００６８】
図１は、人が睡眠する初期に多い仰向け姿勢（仰臥姿勢）であり、床面１０上に人体１１が仰向けに寝て、頭部６の下面にマクラ１２０を置いた状態を示している。
【００６９】
図１におけるポイントＡは背部と床面１１の接触点、ポイントＢは頸部１の背後のマクラ等に支持されない空間点、更にポイントＣはマクラ１２０に頭部６が支持される支承点をそれぞれ示している。本発明のマクラは、通常のマクラと異なり、ポイントＡとＣとで頭部６の重量を支持し、ポイントＢでは可及的にマクラ１２０で支持されない、非支持点としている。
【００７０】
このように頭部６をマクラ１２０上のポイントＣで支持できるということは、マクラ１２０の表面と後頭部６ａの沈んだ深さｄが余り大きくないことを意味しており、頭部６の大きさとその重さにもよるが、その沈んだ深さｄは後頭部６ａに堅さや圧迫感を感じない程度である。
【００７１】
従って、このマクラ１２０は表面層と下層の二層構造、あるいは下層と中間層と表面層の三層構造のものが主として採用される。また、このマクラ１２０に使用する素材はウレタンフォームのシートを採用しているが、具体的には、（株）シンワ（東京都荒川区）の軟質ウレタンフォームで、厚さが５，１５，２０，５０ｍｍのシートを組合せて構成するのが良いが、これに限定されるものではない。
特に微調整が必要な場合には５ｍｍを中心として４，６あるいは７ｍｍなど、各種の厚さのもの等を準備しておくのが便利である。
【００７２】
（マクラの使用感）
本発明に係るマクラ１２０は、使用初期においては頭部６をやや硬めの合成樹脂発泡体の上に弾力を持って、余り沈まない状態で支持された感触であり、一般のマクラに比較すると堅めのものを使用している。
【００７３】
従って、仰向け姿勢から横向き姿勢に寝返りにより寝姿が変化する際、頭部６がマクラ１２０の平坦な上面を左右にコロコロと自由に回転することができる柔らかさと弾性力を持っている。
【００７４】
なお、参考として提示した特開２００１─１６９８８７号公報に記載されたマクラは、図３に記載されているように、図１におけるポイントＡ、Ｂ及びＣ、更に頭部６の後面を全面的に支持するようになっている。しかも、このマクラは頭部の後方を比較的柔らかく広く支持しているので、一見すると安定感があるように思われる。しかし、これは寝返りの際に大きな抵抗を発生するので、簡単に頸椎を簡単に安定させることはできない。
【００７５】
図１に示す仰向け姿勢（仰臥姿勢）は、睡眠初期に多くの人がとる状態であるが、この場合における直線Ｄは床面１０と平行する基準線（仮想線）である。そして線Ｅは、頭部６がやや上向きに傾斜した姿勢にある場合の頸椎１の角度、つまり、「仰臥角α」を示している。
【００７６】
この仰臥角αを形成する状態は、頭部６がマクラ１２０によって上方に持ち上げられた形であり、これは、解剖学的に椎間孔４（図５及び図７参照）が最も拡大した状態であり、神経５は最も自由で圧迫されない状態にある。
【００７７】
仰向け姿勢における線Ｄと線Ｅとのなす角の仰臥角αは、多数の寝姿のデータより、１０度を中心としてプラス・マイナス２〜３度程度であり、この範囲を越えると頭部６を持ち上げる状態となり、前記したように椎間孔４が縮小して神経５を圧迫することになるので、これを避けるようにマクラ１２０の高さを調整する必要がある。
【００７８】
図２は、横向き姿勢（横臥姿勢）におけるマクラ１２０の高さと人体１１の姿勢との関係を示すものである。この状態では下側になる手１１ａを人体１１の前の方に投げ出したように伸ばして人体１１が前のめりになることを防いでいる。なお、上側の手の置き所と脚部の屈伸状態は前記した通りである。
【００７９】
この場合の人体１１の胸骨の中心点Ｍと、鼻の中心点Ｎとを通る直線Ｆ（体軸中心線）が、床面１０とほぼ「平行」になるような高さにマクラ１２０を調整する必要がある。
【００８０】
前記のように図１に示す仰臥角αは１０度前後が最も適している。そしてこの仰臥角αを得るマクラの高さｈは、図２に示す床面１０に平行する体軸中心線Ｆとを満足するマクラ１２０の高さｈに相当している点も興味のあることである。
【００８１】
この高さが、本発明でいう「快適マクラの高さ」であり、このマクラの高さｈを維持するように、個人々々のマクラの高さを調整すると、解剖学的に頸部１が最も安定し、図５あるいは図７に示す椎体２の間の椎間孔４が最も拡開した状態となっていることは言うまでもない。
【００８２】
次に、本発明の基礎データに関係する、マクラの使用者の身長、体重、体型とマクラの高さを解剖学的に決定した手順について説明する。
（身長スコア、体重スコア、体格スコア）
本発明は、マクラの高さを簡単に調整ないし割出す方法を提供するものであるが、その裏付けを確認するために、体格を決定する指数（点数）として、「身長スコアと体重スコア」を規定し、これを下記の表１にまとめた。そしてこれらの二つのスコアを加算したスコアを、「体格スコア」とした。
【００８３】
この身長スコアと体重スコアの決定には、本発明者が接触した頸椎疾患の患者、約５０名のデータを整理して得られたものである。これのデータは図４に示されている。
【００８４】
この図４のデータを得るために、まず、２ｃｍ刻みにマクラの高さを設定したが、これでは図１及び図２に示す状態にマクラを調整することが煩雑であった。
【００８５】
同様に１ｃｍ刻みに設定したところ、やや適合するものが増えたものの、図２の横向きと図１の仰向けとでマクラの高さｈを同時に満足することができず、高さに差を生じた。
【００８６】
実際には、図１の仰向けでマクラの高さが適合しても図２の横向きでは低くすぎて、体軸中心線Ｆが床面１０と平行にならず、頸部１が図６に示すように上方に凸に曲がってしまう。また、横向きで適合しても、仰向けでは高すぎて頭部６が図８に示すように前傾位となる不都合が生じた。
【００８７】
このことから、５ｍｍ刻みの微量調節を設定すると、図１と図２及び図５を参照して説明した頸体２を安定して保持できる高さｈを持つマクラ１２０とすることができたのである。
（身長スコアと体重スコア）
詳細は表１に記載しているが、身長スコアは、身長を１４０ｃｍ以下と、１４１〜１８０ｃｍの間を５ｃｍ刻みで、１８１〜１９０ｃｍを１０ｃｍ刻みと、更に１９１ｃｍ以上とに身長の区分を１１段階とし、身長スコアの最小値を１、最大値を１１とした。
【００８８】
また、体重スコアは、体重を４５ｋｇ以下と、４６〜８０ｋｇを５ｋｇ刻みで８１〜９０ｋｇと、９１〜１００ｋｇと、更に１０１ｋｇ以上の１１段階に区分し、体重スコアの最小値を１とし、最大値を１１とした。
（体格スコア、身長・体重スコア）
前記のように決定した身長スコアと体重スコアを個人的に決定し、両者の合計スコアを、その人の体格スコアとした。
【００８９】
身長スコアと体重スコアとの区分は、前記区分より少ない区分、あるいは更に多くの区分とすることが可能であるが、多くの頸椎症状を持つ患者のデータを分類するには、表１に示した区分によると、マクラの高さを正確に調整することができる。
【００９０】
【表１】
2004209099.tif 000003
【００９１】
図３は、縦軸に頸椎症状を訴えている患者約５０名のアンケート点数を示しており、下段は頸椎症状を「自己管理」できる人を、中段は薬剤の投与などを行ないながら、「病院で経過観察」の必要のなる人の大・小を、また、上段は注射や薬剤の投与等をしながら、「病院で治療の必要有」の人の大・中・小をそれぞれ示している。
【００９２】
なお、縦軸アンケートした患者のアンケート数を、そして横軸の点１は、患者が使用しているマクラの高さ（マクラ調節前）のものを使用した場合を、横軸の点２は、本発明者が、同患者の仰向け姿勢と横向き姿勢を見ながら、マクラの高さを調整した後の同頸椎症状（肩凝りや手の痺れ等）が改善されたアンケート点数を記載したものである。この図によれば、マクラの高さを本発明によって調整することで、約９０％もの患者の頸椎症状が改善されていることが分かる。
【００９３】
図４は、前記表１に示す身長スコアと体重スコア（体格スコア）と、マクラの高さとの関係を示している。この図の作成には、身長スコアとマクラの高さのグラフと、体重スコアとマクラの高さのグラフを別々に描いて各スコアのバラツキを確認している。
【００９４】
更に、これらのスコアを加算して縦軸にマクラの高さを、横軸に体格スコアを描いたもので、前記のように身長スコアと体重スコアを１１段階に区分した後、これをスコア化（点数化）したことによって、線Ｋに示すように、相関係数が０．８９と高度に相関していることを示している。
【００９５】
横軸の身長体重スコアは、本発明のマクラの高さを調整する方法を見いだすための基礎データ用の指数であり、この図から言えることは、背中や腕に厚みがある体格の良い人は高いマクラを、逆に女性や体格の小さい人はそれより低いマクラをすることを正確に数値化することができるのである。
【００９６】
（基礎実験とマクラの高さの決定方法）
以上詳述した手順により、
１）頸椎症状を訴える人などのマクラを選定する人の体重と身長を測定する。
２）次に、表１を参照して、身長スコアと体重スコアとを選定し、更に、両スコアを加算して身長体重スコア（体格スコア）を得る。
３）前記体格スコアを図４のグラフの横軸上に、例えば点Ｍの縦線を適用し、前記のようにして求めた線Ｋに合致する横線Ｎより縦軸のマクラの高さを決定することができる。
【００９７】
この基礎実験より、前記図１及び図２に示すようにマクラの使用者を裸ないしこれに近い状態で床面上に横向きや仰向けにして、床面１０と平行する線Ｄと頸部の線Ｅとこれらの線の交差角度（仰臥角α）、更に、床面１０に平行な体軸中心線Ｆを求める手順を省略しても、その人に略適用できるマクラの高さをほぼ決定したり、おおよその目安とすることが可能であることが分かった。
【００９８】
（実  施  例）
本発明者は、前記図３の頸椎症状の患者の改善データと、図４の体格スコアを利用し、図１に示す仰臥角αと、図２に示す体軸中心線Ｆとの関係を身長に測定して分析することによって、体軸中心線Ｆを床面１０と平行にするようにマクラの高さを決定できる基礎実験を考慮して、図３に示すように頸椎症状が大幅に減少することを確認した結果、本発明に到達した。
【００９９】
即ち、図２に示した方法で体軸中間線Ｆを満足するマクラ１２０の「高さｈ」を求めることにより、図１に示したマクラの高さｈも同時に満足することが分かったのである。
【０１００】
図９は人体１１を床面１０（測定台）の上に横向きで、下側の腕１１ａを前側に伸ばし、上側の腕を腰部に載せ、脚部を軽く前屈にした安定姿勢（横臥姿勢）に保持した状態で、高さｈを調整できるマクラ１３０の上に頭部６を載せた。
【０１０１】
また、体軸中心線Ｆを測定するために、胸骨の中心点のマークＭと、鼻の中心点にマークＮを付けておく。なお、このマークは粘着剤で着脱できるものが適当である。
【０１０２】
次に、図１０に示すようにマクラ１３０の側部に体軸中心線Ｆ（図２）の測定装置１３１を配置する。この測定装置１３１は、図１１に示すように円板状あるいは四角形の基礎部３０の中心にスケール柱３１を植立させ、そのスケール柱３１に嵌合部３２ａを介して透明な移動杆３２を上下に移動可能で固定具３２ｃで固定可能に設けている。この移動杆３２はアルリル樹脂などの透明な材料で構成され、中央部に水平線Ｓ１と距離が記載されており、嵌合部３２ａに設けた開口３２ｂよりスケール柱３１上の高さＳ２を読み取るように構成されている。
【０１０３】
なお、床面１０と、上下に移動する移動杆３２の水平線Ｓ１とは常に平行な状態にあり、嵌合部３２ａを上下させて固定具３２ｃで固定した後に開口３２ｂを通じて読取った高さ寸法Ｓ２は、そのマクラ１３０の高さｈを示している。
【０１０４】
また、前記移動杆３２には矢印ｘ方向に移動する、体軸中心線Ｆを指示するための指示具３５が設けられている。この指示具３５は、前記移動杆３２の背面のレール部に嵌合して移動する基礎部材３５ａと、この基礎部材３５ａに仰伏可能に取付けられたロッド３５ｂと、このロッド３５ｂに対してスライド可能に嵌合した筒体３５ｃで構成され、前記筒体３５ｃの先端３５ｄで、例えば図９の点Ｍあるいは点Ｍと点Ｎの間の仮想線を指示することができる。
【０１０５】
このマクラ１３０は複数枚の弾性板（好ましくは、厚さが５ｍｍの高弾性ウレタン発泡シートを使用する）を追加したり、取出したりして高さｈを任意に調整するようにした積層型のものが一般的である。
【０１０６】
また、別の構造としては図１２に示すコマを移動させて高さを調整するもの、あるいはネジを回転させて高さを調整するものなど、各種のものを採用することができる。
【０１０７】
検体である人体１１に合ったマクラ１３０の高さｈを測定する場合は、図９のように人体１１を横向き姿勢で寝せた状態で、図１０に示すように測定器１３１を頭部６に接近させて置き、固定具３２ｃ（ネジ）を操作して移動杆３２をスケール柱３１に沿って上下させ、更に指示具３５を人体に沿って移動させながら、胸骨の中心部と鼻の中心部に固定されているマークＭ、Ｎと水平線Ｓ１とを合わせる。
【０１０８】
もし、マクラ１３０の高さｈが不適当な場合は前記マークＭ，Ｎと水平線Ｓ１とが合致しないので、その場合はマクラの構造に弾性板を加えたり、取出したりしてマクラの高さｈを変えてマークＭ，Ｎと水平線Ｓ１が合致させ、その時のスケール柱３１上の高さＳ２を読み取り、その人体１１に適合したマクラ１３０の高さｈを決定する。
【０１０９】
なお、前記体軸中心線（Ｍ−Ｎ）は人体１１の前傾斜の程度により微妙に変動するので、測定者は人体１１が所定の位置で安定するように脚部の位置や肩部の位置などを調節しなければならない。この調節には若干の熟練が必要である。
【０１１０】
図１２は高さを調整できるマクラ１３０の内部構造を示すもので、上部構造として低反発ウレタン４０（１５ｍｍ）と、高反発ウレタン４１（１５ｍｍ）を積層し、下部構造として段付板材４２（１５ｍｍ）と段付板材４３（１５ｍｍ）を積層している。
【０１１１】
そして２枚の段付板材４２、４３の対面部分に段差部４４を形成し、この段差部４４にコマ４５を挟持するように配置している。なお、図示されていないが、全体は綺麗な１〜２ｍｍ程度の薄い布製のカバーで覆われているが、このカバーによって前記のような操作を経て正確に調節されたマクラの高さに影響を与えないようになっている。
【０１１２】
図１２はコマ４５を外側の第１の段差部に配置した高さｈが最も低い６０ｍｍの場合を示している。次の内側の第２の段差部にコマ４５を配置すると高さｈは６５ｍｍ、更にコマ４５を第３の段差部に配置すると高さｈは７０ｍｍ、更にコマ４５を第４の段差部に配置すると高さｈは７５ｍｍに調整できる。
【０１１３】
【発明の効果】
人間の頭部は８〜１０ｋｇの重量があり、起床時にはその負担が首にかかる。この首の負担を除げるのは唯一、臥床時のみであり、この時の頭頸部のポジション、つまり、マクラの調整は極めて重要である。
【０１１４】
本発明に係るマクラの調整方法は、使用者が横向き姿勢で、頭部をマクラの上に載置して床面上に寝た状態において、この使用者の体軸中心線と床面とが、ほぼ平行になるように前記マクラの高さを調整することを特徴としている。
【０１１５】
従って、本発明によれば、簡単な操作で使用者にとって頭頸部、特に頸椎が最も安定し、椎体の間に形成される椎間孔が最大に拡大し、椎間孔より引出される神経を圧迫することがない、最適なマクラの高さに調整することができる。
【０１１６】
また、人が仰向け姿勢と横向き姿勢（寝返り姿勢）において、頸椎の間の椎間孔を最大の開口状態に保持し、その結果、頸部の神経を圧迫することがないので安らかな眠りを得ることができる。
【０１１７】
このように就寝中の寝返り運動を簡単にでき、頸部の神経を圧迫することがないので、頸椎症状である頭痛や手の痺れなどを発生させず、また、回復ないし軽減させることができる。
【図面の簡単な説明】
【図１】人体の仰向け姿勢とマクラとの関係を示す側面図である。
【図２】人体の横向き姿勢とマクラとの関係を示す側面図である。
【図３】本発明の調節法によりマクラの高さを調節した時の頸椎症状の改善を示すグラフである。
【図４】マクラの高さと体格スコアとの関係を示すグラフである。
【図５】頸椎と神経の関係を示す説明図である。
【図６】マクラが低すぎる場合の頸椎の状態の説明図である。
【図７】マクラの高さが最適な頸椎の状態（本発明の状態）の説明図である。
【図８】マクラの高さが高すぎる場合の頸椎の状態の説明図である。
【図９】適合するマクラの高さを計測する際の正しい横向き姿勢を示す正面図である。
【図１０】適合するマクラの高さを計測する際の計測器と人体との関係図である。
【図１１】マクラの高さを調整するための測定器の斜視図である。
【図１２】高さを調整できるマクラの内部構造の側面図である。
【符号の簡単な説明】
１  頸部    ２  椎体    ３  窪み      ４  椎間孔
５  神経    ６  頭部    ７  背部
１１  人体    １０  床面    １１  人体（使用者）    １１ａ  腕
３０  基礎部    ３１  スケール柱    ３２  移動杆    ３２ａ  勘合部
３２ｂ  開口    ３２ｃ  固定具
３５  指示具    ３５ａ  基礎部材    ３５ｂ  ロッド
３５ｃ  筒体    ３５ｄ  先端
４０  低反発ウレタン    ４１  高反発ウレタン      ４２，４３  段付板材
４５  コマ
１２０，１３０  マクラ
【図１】
2004209099.tif 000004
【図２】
2004209099.tif 000005
【図３】
2004209099.tif 000006
【図４】
2004209099.tif 000007
【図５】
2004209099.tif 000008
【図６】
2004209099.tif 000009
【図７】
2004209099.tif 000010
【図８】
2004209099.tif 000011
【図９】
2004209099.tif 000012
【図１０】
2004209099.tif 000013
【図１１】
2004209099.tif 000014
【図１２】
2004209099.tif 000015
【手続補正書】
【提出日】平成15年8月13日(2003.8.13)
【手続補正１】
【補正対象書類名】明細書
【補正対象項目名】０００４
【補正方法】変更
【補正の内容】
【０００４】
このように、従来はマクラのサイズに個人に適合したものはなく、多くて男性物が２〜３種類、また、女性物も同様に２〜３種類しか準備されていない。しかし、同性、同年代でも人間の体格の個人差は大きく、マクラの適合性に大きく影響するものである。ここで個人差によって異なるマクラに影響を与える体格とは、身長、体重、肩幅、顔幅、鎖骨や肩の関節の機能と形状など、様々な要素がある。
【手続補正２】
【補正対象書類名】明細書
【補正対象項目名】００１７
【補正方法】変更
【補正の内容】
【００１７】
最近は頭部から肩部に至る面積でスッポリと全体を支持し、感触や色彩、そしてデザイン性が重視されたマクラが使用されるようになっている。これは従来から多く使用されていたマクラのように、単に頭部を支持するものと比較すると、かなり変形したデザインのものが多くなっている。
具体的には、首の後ろが半円のアーチ状になっているものが多く、生理的な頸椎の形状を形取っているとされる。しかし、これは首の周囲の筋力の働いている起立時の形であり、寝るときの姿勢、つまり頭部の重みをマクラにあずけ、筋力の働かない状態では形状が異なる。すなわち、本発明者の研究によれば、上を向いて寝たときには前頭部が前に１０度前後あがり、頸椎は一直線になっているのが望ましいが、前記マクラにはこのような検討はされていないようである。
【手続補正３】
【補正対象書類名】明細書
【補正対象項目名】００２５
【補正方法】変更
【補正の内容】
【００２５】
本発明者は整形外科に関係していることから、人の睡眠状態を観察する機会がしばしばあるが、それによると、就寝の最初は仰向き姿勢（仰臥位）で眠りにつくことが多いが、一晩中そのままの姿勢を維持している人は極めて稀であり、睡眠中に横向き姿勢（側臥位）になったり、元の仰向け姿勢に反転する「寝返り」動作を驚くほど「ダイナミック」に行っていることが多い。従って、この睡眠状態の観察結果からしても、寝返りとマクラとの関係について検討することが重要であることが分かる。
この寝返りの打ち易さを検討したところ、被検者５０人中４２人が、以下に述べる本発明の方法によって決定したマクラの高さで、寝返りが楽になったことを表明している。マクラの高さと寝返りのし易さとの関係には個人差があるが、後述する実施例にも記載しているように多くの場合、５ｍｍ以内の厳密な高さの調節を採用することによって最良の寝返りを行うことができる。
【手続補正４】
【補正対象書類名】明細書
【補正対象項目名】００２６
【補正方法】変更
【補正の内容】
【００２６】
なお、人体が横向き（横向き臥床）において安定するための姿勢について説明すると、寝姿を上から見た場合に、体の下側の片手を前方に出し、それに伴なって下側の肩を少し前側に出している。そして体の上側の片手は骨盤の上に載せ、両足は軽く前方に屈曲させて体を前側に倒れないように保持している。この状態を頭部側から見ると、肩の線は床面に垂直な線に対して軽度の前開きの角度（上方より胸が少し見えるように、上向きに開いた姿勢）を保持している。この前開きの角度は体格や性別、あるいは年齢によって差があることは勿論であるが、各人が横向きで、少し上向きの安定した姿勢を取って睡眠しているのである。
【手続補正５】
【補正対象書類名】明細書
【補正対象項目名】０１０９
【補正方法】変更
【補正の内容】
【０１０９】
なお、前記体軸中心線（Ｍ−Ｎ）は人体１１の前傾斜の程度により微妙に変動するので、測定者は人体１１が所定の位置で安定するように脚部の位置や肩部の位置を調節しなければならない。この調節にかなりの熟練を要する。なぜなら、首や肩の解剖の知識を要するためである。計測困難な例をあげるならば、肩の年齢的な変形によって拘縮の（硬くなっている）状態や、鎖骨を骨折していると左右の肩幅が異なる事がある。その場合にも、最適の高さを決定する必要がある。




【手続補正書】
【提出日】平成15年12月15日(2003.12.15)
【手続補正２】
【補正対象書類名】明細書
【補正対象項目名】特許請求の範囲
【補正方法】変更
【補正の内容】
【特許請求の範囲】
【請求項１】
軟質の合成樹脂発泡体のシートにより少なくとも表面層と下層の二層構造に形成され、前記表面層は、厚さが３，４，５，６，７ｍｍの軟質合成樹脂発泡体シートから選ばれた複数枚のシートを組合わせて積層され、これらのシートはカバーより出し入れして簡単に組合わせの変更が可能に構成されており、その上面に凹凸がなく平坦な形状であり、使用者の頭部を載せてその重量を負担させた場合に、その後頭部が前記上面に深く沈まなく、容易に寝返りを打てる状態で支持する程度の、比較的高い弾性力を持ったマクラの高さの調整方法であって、
使用者が横向姿勢で頭部を前記マクラの上に載置して、下になる肩を前に出した寝姿勢において、この使用者の鼻と胸骨とを結んだ体軸中心線と床面とが、ほぼ並行になるように前記マクラの高さを調整する作業と、更にこのマクラの上で回転して上向き姿勢で、頸椎の傾き角度が床面と並行する線と１０度前後の角度で上に向く状態になるように、前記表面層を形成している軟質合成樹脂発泡体シートの薄板を抜き、これを他の厚さのシートに変更する操作を繰り返して行うことを特徴とするマクラの高さの調整方法。
【請求項２】
軟質の合成樹脂発泡体のシートにより少なくとも表面層と下層の二層構造に形成され、前記表面層は、厚さが３，４，５，６，７ｍｍの軟質合成樹脂発泡体シートから選ばれた複数枚のシートを組合わせて積層され、これらのシートはカバーより出し入れして簡単に組合わせの変更が可能に構成されており、その上面に凹凸がなく平坦な形状であり、使用者の頭部を載せてその重量を負担させた場合に、その後頭部が前記上面に深く沈まなく、容易に寝返りを打てる状態で支持する程度の、比較的高い弾性力を持ったマクラの高さの調整方法であって、
使用者が使用するマクラを前選定する作業と、この前選定で選定されたマクラを使用者の寝姿にあった高さに調整する仕上げ調整作業とからなり、
Ａ．前選定作業は、
ａ）身長の低い人から高い人までの体重を所定の間隔で分割し、この分割された範囲に身長スコアとすると共に、体重の軽い人から重い人までの体重を所定の間隔で分割し、この分割された範囲に体重スコアとし、更に、前記身長スコアと体重スコアを加算して体格スコアを求める基礎データを作成し、
ｂ）前記基礎データより、所定の高さに区分されたマクラの高さと、所定の点数に区分された前記体格スコアとから作成されたグラフ上に、体格の異なる多数の被測定者が使用しているマクラの高さを前記グラフの上にプロットし、この分布しているプロットの近似曲線を引き、マクラの高さと体型との関係線図を作成し、
ｃ）前記マクラの高さと体型の関係線図を利用し、使用者が使用するマクラの概略の高さを決定して下記構成のマクラを前選定する作業で構成され、
Ｂ．仕上げ調整作業は、
ｄ）前記前選定されたマクラを、使用者が横向姿勢で頭部を前記マクラの上に載置して、下になる肩を前に出した寝姿勢において、この使用者の鼻と胸骨とを結んだ体軸中心線と床面とが、ほぼ並行になるように前記マクラの高さを調整し、更に、このマクラの上で回転して上向き姿勢で、頸椎の傾き角度が床面と並行する線と１０度前後の角度で上に向く状態になるように、前記表面層を形成している軟質合成樹脂発泡体シートの薄板を抜き、これを他の厚さのシートに変更する操作を繰り返して行う作業で構成されていることを特徴とするマクラの高さの調整方法。
【請求項３】
身長スコアは、身長を１４０ｃｍ以下と、１４０ｃｍ〜１８０ｃｍの間を５ｃｍ刻みで、１８１〜１９０ｃｍを１０ｃｍ刻みと、更に１９１ｃｍ以上とに身長の区分を１１段階とし、身長スコアの最少値を１、最大値を１１とし、
体重スコアは、体重を４５ｋｇ以下と、４６〜８０ｋｇ以上の１１段階に区分し、体重スコーの最少値を１とし、最大値を１１とし、
更に、身長スコアと体重スコアを個人的に決定し、両者の合計スコアを体格スコアとする請求項２記載のマクラの高さの調整方法。
【手続補正３】
【補正対象書類名】明細書
【補正対象項目名】００５０
【補正方法】変更
【補正の内容】
【００５０】
【課題を解決するための手段】
前記目的を達成するための本発明に係るマクラの高さの調整方法は次の通りである。


【手続補正４】
【補正対象書類名】明細書
【補正対象項目名】００５１
【補正方法】変更
【補正の内容】
【００５１】
１）軟質の合成樹脂発泡体のシートにより少なくとも表面層と下層の二層構造に形成され、前記表面層は、厚さが３，４，５，６，７ｍｍの軟質合成樹脂発泡体シートから選ばれた複数枚のシートを組合わせて積層され、これらのシートはカバーより出し入れして簡単に組合わせの変更が可能に構成されており、その上面に凹凸がなく平坦な形状であり、使用者の頭部を載せてその重量を負担させた場合に、その後頭部が前記上面に深く沈まなく、容易に寝返りを打てる状態で支持する程度の、比較的高い弾性力を持ったマクラの高さの調整方法であって、
使用者が横向姿勢で頭部を前記マクラの上に載置して、下になる肩を前に出した寝姿勢において、この使用者の鼻と胸骨とを結んだ体軸中心線と床面とが、ほぼ並行になるように前記マクラの高さを調整する作業と、更にこのマクラの上で回転して上向き姿勢で、頸椎の傾き角度が床面と並行する線と１０度前後の角度で上に向く状態になるように、前記表面層を形成している軟質合成樹脂発泡体シートの薄板を抜き、これを他の厚さのシートに変更する操作を繰り返して行うことを特徴としている。
【手続補正５】
【補正対象書類名】明細書
【補正対象項目名】００５２
【補正方法】変更
【補正の内容】
【００５２】
２）軟質の合成樹脂発泡体のシートにより少なくとも表面層と下層の二層構造に形成され、前記表面層は、厚さが３，４，５，６，７ｍｍの軟質合成樹脂発泡体シートから選ばれた複数枚のシートを組合わせて積層され、これらのシートはカバーより出し入れして簡単に組合わせの変更が可能に構成されており、その上面に凹凸がなく平坦な形状であり、使用者の頭部を載せてその重量を負担させた場合に、その後頭部が前記上面に深く沈まなく、容易に寝返りを打てる状態で支持する程度の、比較的高い弾性力を持ったマクラの高さの調整方法であって、
使用者が使用するマクラを前選定する作業と、この前選定で選定されたマクラを使用者の寝姿にあった高さに調整する仕上げ調整作業とからなり、
Ａ．前選定作業は、
ａ）身長の低い人から高い人までの体重を所定の間隔で分割し、この分割された範囲に身長スコアとすると共に、体重の軽い人から重い人までの体重を所定の間隔で分割し、この分割された範囲に体重スコアとし、更に、前記身長スコアと体重スコアを加算して体格スコアを求める基礎データを作成し、
ｂ）前記基礎データより、所定の高さに区分されたマクラの高さと、所定の点数に区分された前記体格スコアとから作成されたグラフ上に、体格の異なる多数の被測定者が使用しているマクラの高さを前記グラフの上にプロットし、この分布しているプロットの近似曲線を引き、マクラの高さと体型との関係線図を作成し、
ｃ）前記マクラの高さと体型の関係線図を利用し、使用者が使用するマクラの概略の高さのマクラを選定する作業であり、
Ｂ．仕上げ調整作業は、
ｄ）前記前選定されたマクラを、使用者が横向姿勢で頭部を前記マクラの上に載置して、下になる肩を前に出した寝姿勢において、この使用者の鼻と胸骨とを結んだ体軸中心線と床面とが、ほぼ並行になるように前記マクラの高さを調整し、更に、このマクラの上で回転して上向き姿勢で、頸椎の傾き角度が床面と並行する線と１０度前後の角度で上に向く状態になるように、前記表面層を形成している軟質合成樹脂発泡体シートの薄板を抜き、これを他の厚さのシートに変更する操作を繰り返して行う作業で構成されていることを特徴としている。


【手続補正６】
【補正対象書類名】明細書
【補正対象項目名】００５３
【補正方法】変更
【補正の内容】
【００５３】
３）身長スコアは、身長を１４０ｃｍ以下と、１４０ｃｍ〜１８０ｃｍの間を５ｃｍ刻みで、１８１〜１９０ｃｍを１０ｃｍ刻みと、更に１９１ｃｍ以上とに身長の区分を１１段階とし、身長スコアの最少値を１、最大値を１１とし、
体重スコアは、体重を４５ｋｇ以下と、４６〜８０ｋｇ以上の１１段階に区分し、体重スコーの最少値を１とし、最大値を１１とし、
更に、身長スコアと体重スコアを個人的に決定し、両者の合計スコアを体格スコアとすることを特徴としている。


【手続補正７】
【補正対象書類名】明細書
【補正対象項目名】００５４
【補正方法】削除
【補正の内容】
【手続補正８】
【補正対象書類名】明細書
【補正対象項目名】００５５
【補正方法】削除
【補正の内容】
【手続補正９】
【補正対象書類名】明細書
【補正対象項目名】００５６
【補正方法】削除
【補正の内容】
【手続補正１０】
【補正対象書類名】明細書
【補正対象項目名】００５７
【補正方法】削除
【補正の内容】